(57)【要約】      （修正有）【課題】移動端末がサポートするBand Combinationを取得する時間を短縮することができる移動端末試験装置を提供する。【解決手段】緩和値が適用されるCA Band Combinationから、移動端末がサポートしていないBandを含むCA Band Combinationを除外し、さらに、全てのBandが試験対象のOperatingBandに含まれていないCA Band Combinationを除外して、残りのCA Band Combinationに含まれるBandから、RequestedBandsに含めるBandを決定する。【選択図】図２
2020137047.tif 000002
【特許請求の範囲】
【請求項１】
移動端末（１０）のコンフォーマンステストを行なう移動端末試験装置（１）であって、
緩和値が適用されるCA Band Combinationから、前記移動端末がサポートしていないBandを含むCA Band Combinationを除外し、全てのBandが試験対象のOperatingBandに含まれていないCA Band Combinationを除外して、残りのCA Band Combinationに含まれるBandから、RequestedBandsに含めるBandを決定する制御部（６）を備える移動端末試験装置。
【請求項２】
前記制御部は、全てのBandが送信したRequestedBandsに含まれているCA Band Combinationを除外し、残りのCA Band Combinationに含まれるBandから、次のRequestedBandsに含めるBandを決定し、残りのCA Band CombinationがなくなるまでRequestedBandsの送信を繰り返す請求項１に記載の移動端末試験装置。
【請求項３】
移動端末（１０）のコンフォーマンステストを行なう移動端末試験装置（１）のサポート組合せ取得方法であって、
緩和値が適用されるCA Band Combinationから、前記移動端末がサポートしていないBandを含むCA Band Combinationを除外するステップと、
全てのBandが試験対象のOperatingBandに含まれていないCA Band Combinationを除外するステップと、
残りのCA Band Combinationに含まれるBandから、RequestedBandsに含めるBandを決定するステップと、を備えるサポート組合せ取得方法。
【発明の詳細な説明】
【技術分野】
【０００１】
本発明は、移動端末の試験を行なう移動端末試験装置に関する。
【背景技術】
【０００２】
携帯電話やデータ通信端末等の移動端末を開発した場合、この開発した移動端末が正常に通信を行なえるか否かを試験する必要がある。このため、実際の基地局の機能を擬似する擬似基地局として動作する試験装置に試験対象の移動端末を接続し、試験装置と移動端末との間で通信を行ない、この通信の内容を確認する試験を行なっている。
【０００３】
このような試験の中には、移動端末が３ＧＰＰ（3rd Generation Partnership Project）の規格に準じているかを確認するコンフォーマンステストなどがある。
【０００４】
コンフォーマンステストにおける確認項目一つ一つをテストケースと呼ぶ。移動端末がキャリアアグリゲーション（CA:Carrier Aggregation）をサポートする場合、移動端末がスプリッタを含むＲＦ（無線周波数）回路を持つため、テストケースの送受信試験において、delta TIB/delta RIBと呼ばれる緩和値が試験パラメータに適用される。
【０００５】
このdelta TIB/delta RIBは、CA Band Combinationごとに定められているため、移動端末(UE:User Equipment)がサポートするCA Band CombinationをUE Capability情報から解析して試験パラメータを決定しなければならない。
【０００６】
移動端末のUE Capability情報は、移動端末から基地局にシグナリングメッセージにより伝えられる。
【０００７】
特許文献１には、ユーザ装置が自身のキャリアアグリゲーションに関する能力を基地局に効率的に通知する技術が記載されている。
【先行技術文献】
【特許文献】
【０００８】
【特許文献１】特開２０１７−９２８２７号公報
【発明の概要】
【発明が解決しようとする課題】
【０００９】
しかしながら、キャリアアグリゲーションの規格のバージョンが増すごとに、移動端末がサポートするCA Band Combinationの数が増しており、UE Capability情報が肥大化していたため、Release 11以降の規格に対応する移動端末は、サポートするCA Band Combinationを全てUE Capability情報として報告するのではなく、基地局から要求された最大１６個のBand群（以下、「RequestedBands」という）を含むCA Band Combinationのみを報告することとなった。
【００１０】
例えば、５個のBandを使ったInter-band CAのBand Combinationを考えると、現行のBand数の約70Bandから5Band選ぶと、12,103,014通りもあり、そのうち一度のRequestedBandsで送信できる16Bandで構成できるBand Combination数は、4,368通りであり、この数しか取得できず、移動端末がサポートするBand Combinationを確実に取得するには膨大なメッセージをやり取りすることになり、試験時間が長くなってしまう。
【００１１】
そこで、本発明は、移動端末がサポートするBand Combinationを取得する時間を短縮することができる移動端末試験装置を提供することを目的としている。
【課題を解決するための手段】
【００１２】
本発明の移動端末試験装置は、移動端末のコンフォーマンステストを行なう移動端末試験装置であって、緩和値が適用されるCA Band Combinationから、前記移動端末がサポートしていないBandを含むCA Band Combinationを除外し、全てのBandが試験対象のOperatingBandに含まれていないCA Band Combinationを除外して、残りのCA Band Combinationに含まれるBandから、RequestedBandsに含めるBandを決定する制御部を備えるものである。
【００１３】
この構成により、緩和値が適用されるCA Band Combinationから、移動端末がサポートしていないBandを含むCA Band Combinationが除外され、全てのBandが試験対象のOperatingBandに含まれていないCA Band Combinationが除外され、残りのCA Band Combinationに含まれるBandからRequestedBandsに含めるBandが決定される。このため、移動端末がサポートするBand Combinationを取得する時間を短縮することができる。
【００１４】
また、本発明の移動端末試験装置において、前記制御部は、全てのBandが送信したRequestedBandsに含まれているCA Band Combinationを除外し、残りのCA Band Combinationに含まれるBandから、次のRequestedBandsに含めるBandを決定し、残りのCA Band CombinationがなくなるまでRequestedBandsの送信を繰り返すものである。
【００１５】
この構成により、全てのBandが送信したRequestedBandsに含まれているCA Band Combinationが除外され、残りのCA Band Combinationに含まれるBandから、次のRequestedBandsに含めるBandが決定され、残りのCA Band CombinationがなくなるまでRequestedBandsの送信が繰り返される。このため、移動端末がサポートするBand Combinationを取得する時間を短縮することができる。
【００１６】
また、本発明の移動端末試験装置のサポート組合せ取得方法は、移動端末のコンフォーマンステストを行なう移動端末試験装置のサポート組合せ取得方法であって、緩和値が適用されるCA Band Combinationから、前記移動端末がサポートしていないBandを含むCA Band Combinationを除外するステップと、全てのBandが試験対象のOperatingBandに含まれていないCA Band Combinationを除外するステップと、残りのCA Band Combinationに含まれるBandから、RequestedBandsに含めるBandを決定するステップと、を備えるものである。
【００１７】
この構成により、緩和値が適用されるCA Band Combinationから、移動端末がサポートしていないBandを含むCA Band Combinationが除外され、全てのBandが試験対象のOperatingBandに含まれていないCA Band Combinationが除外され、残りのCA Band Combinationに含まれるBandからRequestedBandsに含めるBandが決定される。このため、移動端末がサポートするBand Combinationを取得する時間を短縮することができる。
【発明の効果】
【００１８】
本発明は、移動端末がサポートするBand Combinationを取得する時間を短縮することができる移動端末試験装置を提供することができる。
【図面の簡単な説明】
【００１９】
【図１】図１は、本発明の一実施形態に係る移動端末試験装置の要部のブロック図である。
【図２】図２は、本発明の一実施形態に係る移動端末試験装置のサポート組合せ取得処理の手順を説明するフローチャートである。
【発明を実施するための形態】
【００２０】
以下、図面を参照して、本発明の実施形態に係る移動端末試験装置について詳細に説明する。
【００２１】
図１において、本発明の一実施形態に係る移動端末試験装置１は、擬似基地局として同軸ケーブル等を介して有線で移動端末１０とＲＦ信号を送受信するようになっている。なお、移動端末試験装置１は、アンテナを介して無線で移動端末１０とＲＦ信号を送受信するようにしてもよい。
【００２２】
移動端末試験装置１は、擬似基地局部２と、シナリオ処理部３と、操作部４と、表示部５と、制御部６とを含んで構成されている。
【００２３】
擬似基地局部２は、シナリオ処理部３の制御により、移動端末１０との間でＲＦ信号を送受信する。擬似基地局部２は、移動端末１０との通信の状態などを制御部６に出力する。
【００２４】
シナリオ処理部３は、制御部６からの指示により、記憶されているシナリオを読み出して、そのシナリオに基づいて擬似基地局部２に、報知情報を送信させたり、移動端末１０との間で通信シーケンスを実行させたりする。
【００２５】
操作部４は、キーボード、マウス、タッチパネル等の入力機器で構成され、操作入力されたシナリオの生成に必要な情報などを制御部６に出力する。表示部５は、液晶ディスプレイ等の画像表示機器で構成され、シナリオの生成に必要な情報を入力させる画像や試験中の状態を示す画像などを表示する。
【００２６】
制御部６は、操作部４に入力された指示に従って、試験シナリオの作成画面を表示部５に表示させて試験シナリオの生成に必要な情報を入力させたり、試験シナリオの作成画面において操作部４に入力された情報に基づいて試験シナリオを生成したりする。また、制御部６は、操作部４に入力された指示に従って、シナリオ処理部３に指示を送信して、記憶装置に記憶された試験シナリオに基づいて試験を実行させたり、シナリオ処理部３から送信される各レイヤの状態や移動端末１０との通信の状態などの情報に基づいて表示部５に試験中の状態などを表示させたりする。
【００２７】
ここで、移動端末試験装置１は、移動端末１０と通信を行なうための通信モジュールが設けられた図示しないコンピュータ装置によって構成される。このコンピュータ装置は、それぞれ図示しないＣＰＵ（Central Processing Unit）と、ＲＯＭ（Read Only Memory）と、ＲＡＭ（Random Access Memory）と、ハードディスク装置などの記憶装置と、入出力ポートと、タッチパネルとを有する。
【００２８】
このコンピュータ装置のＲＯＭ及びハードディスク装置には、コンピュータ装置を移動端末試験装置１として機能させるためのプログラムが格納されている。すなわち、ＣＰＵがＲＡＭを作業領域としてＲＯＭに格納されたプログラムを実行することにより、当該コンピュータ装置は、移動端末試験装置１として機能する。
【００２９】
このように、本実施形態において、シナリオ処理部３、制御部６は、ＣＰＵによって構成され、擬似基地局部２は、通信モジュールによって構成される。
【００３０】
このような構成の移動端末試験装置１において、記憶装置には、試験パラメータに緩和値が適用されるCA Band Combinationの情報がリストとして記憶されている。
【００３１】
制御部６は、緩和値が適用されるCA Band Combinationから、移動端末１０がサポートしていないBandを含むCA Band Combinationを除外する。
【００３２】
移動端末１０がサポートしているBandは、UE Capability情報により取得することができる。
【００３３】
制御部６は、さらに全てのBandが試験対象のOperatingBandに含まれていないCA Band Combinationを除外する。
【００３４】
例えば、試験対象がBand1,3,5のキャリアアグリゲーションの試験の場合、移動端末１０がサポートする2BandのCA Band CombinationのうちBand1,3,5のいずれかを含むCA Band Combinationについては緩和値を考慮しなければならないので除外しない。
【００３５】
制御部６は、このような除外を行なった残りのCA Band Combinationに含まれるBandから、RequestedBandsに含めるBandを決定する。
【００３６】
制御部６は、擬似基地局部２を介して決定したRequestedBandsを移動端末１０に送信する。移動端末１０は、受信したRequestedBandsに含まれているBandで構成されるCA Band Combinationのうち、移動端末１０がサポートするCA Band Combinationの情報を擬似基地局部２に返送する。
【００３７】
制御部６は、CA Band Combinationの全てのBandが送信したRequestedBandsに含まれているCA Band Combinationを除外し、残りのCA Band Combinationに含まれるBandから、次のRequestedBandsに含めるBandを決定する。
【００３８】
制御部６は、残りのCA Band CombinationがなくなるまでRequestedBandsの移動端末１０への送信を繰り返す。
【００３９】
このように、本実施形態においては、緩和値が適用されるCA Band Combinationから移動端末１０がサポートしていないBandを含むCA Band Combinationを除外し、さらに全てのBandが試験対象のOperatingBandに含まれていないCA Band Combinationを除外して、その残りのCA Band Combinationに含まれるBandから、RequestedBandsに含めるBandを決定する。
【００４０】
このため、移動端末１０がサポートするCA Band Combinationを取得するのに、移動端末１０との間で送受信するメッセージを少なくして、取得する時間を短縮することができる。
【００４１】
また、CA Band Combinationの全てのBandが送信したRequestedBandsに含まれているCA Band Combinationを除外し、その残りのCA Band Combinationに含まれるBandから、次のRequestedBandsに含めるBandを決定する。
【００４２】
このため、移動端末１０がサポートするCA Band Combinationを取得するのに、移動端末１０との間で送受信するメッセージを少なくして、取得する時間を短縮することができる。
【００４３】
以上のように構成された本実施形態に係る移動端末試験装置１によるサポート組合せ取得処理について、図２を参照して説明する。なお、以下に説明するサポート組合せ取得処理は、操作部４への操作によりコンフォーマンステストの実行が選択されると実行される。
【００４４】
ステップＳ１において、制御部６は、記憶装置から試験パラメータに緩和値が適用されるCA Band Combinationのリストを読み込む。
【００４５】
ステップＳ２において、制御部６は、移動端末１０がサポートしているBand（サポートBand）に含まれないBandを一つでも含むCA Band Combinationをリストから除外する。
【００４６】
ステップＳ３において、制御部６は、さらに全てのBandが、試験時のOperatingBandに含まれていないCA Band Combinationをリストから除外する。
【００４７】
ステップＳ４において、制御部６は、その残ったCA Band Combinationリストに含まれるE-UTRA Bandを、例えばBand数の小さいものから１６個選択し、RequestedBandsを決定する。
【００４８】
ステップＳ５において、制御部６は、決定したRequestedBandsを移動端末１０に送信し、移動端末１０がサポートするCA Band Combinationの情報を収集する。
【００４９】
ステップＳ６において、制御部６は、全てのBandが送信したRequestedBandsに含まれているCA Band Combinationをリストから除外する。
【００５０】
ステップＳ７において、制御部６は、リストが空になったか否かを判定する。リストが空になったと判定した場合、制御部６は、処理を終了する。
【００５１】
リストが空になっていないと判定した場合、制御部６は、ステップＳ４に処理を戻して、処理を繰り返す。
【００５２】
本発明の実施形態を開示したが、当業者によっては本発明の範囲を逸脱することなく変更が加えられうることは明白である。すべてのこのような修正及び等価物が次の請求項に含まれることが意図されている。
【符号の説明】
【００５３】
１  移動端末試験装置
２  擬似基地局部
６  制御部
【図１】
2020137047.tif 000003
【図２】
2020137047.tif 000004